(57)【要約】【課題】測定対象に対する電流の供給開始時における電流の最大値や最小値、およびその際の電圧の最大値や最小値を正確に表示する。【解決手段】電流測定部によって測定された電流の電流値Ｉｍおよび電圧測定部によって測定された電圧の電圧値Ｖｍを表示部に表示させる処理部とを備え、処理部は、測定開始の指示後に電流値Ｉｍが予め規定されたしきい値Ｉｒとなったときから予め規定された規定時間ｔｒが経過したときまでの処理対象期間ｔｐにおける電流値Ｉｍの最大値Ｉｍａｘおよび最大値Ｉｍａｘの測定以後に処理対象期間ｔｐにおいて測定された電流値Ｉｍの最小値Ｉｍｉｎの少なくとも一方と、処理対象期間ｔｐにおける電圧値Ｖｍの最小値Ｖｍｉｎおよび最小値Ｖｍｉｎの測定以後に処理対象期間ｔｐにおいて測定された電圧値Ｖｍの最大値Ｖｍａｘの少なくとも一方とを表示部に同時に表示させる。【選択図】図４
2017049114.tif 000002
【特許請求の範囲】
【請求項１】
測定対象をクランプ可能なクランプ部を有して当該測定対象に流れる電流を測定する電流測定部と、前記測定対象の電圧を測定する電圧測定部と、前記電流および前記電圧の測定開始を指示する指示操作が可能な操作部と、前記測定開始の指示後において前記電流測定部によって測定された電流の電流値および前記電圧測定部によって測定された電圧の電圧値を表示部に表示させる表示処理を実行する処理部とを備え、
前記処理部は、前記表示処理において、前記測定開始の指示後に前記電流値の絶対値が予め規定されたしきい値となったときから予め規定された規定時間が経過したときまでの処理対象期間における当該電流値の絶対値の最大値および当該電流値の絶対値の最大値の測定以後に前記処理対象期間において測定された当該電流値の絶対値の最小値の少なくとも一方と、前記処理対象期間における前記電圧値の絶対値の最小値および当該電圧値の絶対値の最小値の測定以後に前記処理対象期間において測定された当該電圧値の絶対値の最大値の少なくとも一方とを前記表示部に同時に表示させる測定装置。
【請求項２】
前記操作部は、前記表示部に同時に表示させる前記各最大値および前記各最小値の組み合わせを選択する選択操作が可能に構成され、
前記処理部は、前記選択操作によって選択された組み合わせで前記各最大値および前記各最小値を前記表示部に表示させる請求項１記載の測定装置。
【請求項３】
前記操作部は、前記しきい値を設定可能に構成されている請求項１または２記載の測定装置。
【請求項４】
前記操作部は、前記規定時間を設定可能に構成されている請求項１から３のいずれかに記載の測定装置。
【発明の詳細な説明】
【技術分野】
【０００１】
本発明は、電流測定部によって測定された電流値および電圧測定部によって測定された電圧値を表示部に表示させる測定装置に関するものである。
【背景技術】
【０００２】
この種の測定装置として、下記特許文献１に開示されたデジタルクランプテスタが知られている。このデジタルクランプテスタは、クランプＣＴ部、表示部、電源スイッチ／測定モード切り替えスイッチ（以下、「切り替えスイッチ」ともいう）、および機能指定キー列を備えて構成されている。このデジタルクランプテスタでは、直流電流、交流電流および周波数を測定すると共に、直流電圧、交流電圧、周波数、抵抗および温度等を測定して、電流値と電圧値、電流値と周波数、電圧値と周波数などの組み合わせで、２種類の測定値を表示部に同時に表示させることが可能に構成されている。
【０００３】
このデジタルクランプテスタを用いて、例えば、自動車のエンジンを始動する際（セルモータの起動時）のバッテリからセルモータに供給される電流の最大値や最小値と、バッテリの端子電圧の最大値や最小値とを測定して表示させる際には、切り替えスイッチを操作して、電源を投入した後に直流電流・電圧測定モードを選択する。次いで、バッテリの各端子とデジタルクランプテスタとをリード線で接続し、続いて、バッテリとセルモータとを接続している電線をクランプＣＴ部でクランプする。次いで、機能指定キー列のレコードキーを操作し、続いて、セルモータを起動させる。この際に、セルモータが起動する前の無負荷状態の電流値および電圧値が記録されると共に、セルモータの起動中の電流値および電圧値が記録される。また、測定後に機能指定キー列のレコードキーを操作することにより、電流の最大値と電圧の最大値、電流の最大値と電圧の最小値、電流の最小値と電圧の最大値、電流の最小値と電圧の最小値の４つの組合わせで、各値が表示部に切り替えて表示される。
【先行技術文献】
【特許文献】
【０００４】
【特許文献１】特開平６−２３５７３５号公報（第２−４頁、第１図）
【発明の概要】
【発明が解決しようとする課題】
【０００５】
ところが、上記した従来のデジタルクランプテスタには、以下の問題点がある。すなわち、従来のデジタルクランプテスタでは、レコードキーを操作した時点で電流値および電圧値の記録が開始される。このため、上記した例のように、セルモータの起動時の電流や電圧の最大値や最小値を表示させる際には、セルモータの起動前に記録を開始させる必要がある。この場合、セルモータの起動前の状態では、電流値が、０Ａ（または、ほぼ０Ａ）となり、電圧値が、無負荷状態における電圧値（または、それに近い値）となる。つまり、この手順で測定を行ったときには、電流値の最小値が、常に０Ａ（または、ほぼ０Ａ）となり、電圧値の最大値が、常に無負荷状態における電圧値（または、それに近い値）となる。このため、従来のデジタルクランプテスタには、例えば、セルモータやバッテリの性能を評価する上で必要な、セルモータの起動時の電流（突入電流）の最小値（特に、電流値が最大となった後の最小値）や、セルモータの起動時の電圧値の最大値（特に、電圧値が最小となった後の最大値）を表示させることが困難であるという問題点が存在する。また、従来のデジタルクランプテスタでは、レコードキーを操作して記録の終了を指示するまで電流値および電圧値の記録が継続されるため、終了を指示する前に、セルモータを停止させたり、リード線による接続の解除、およびクランプＣＴ部によるクランプの解除を行ったりしたときにも、電流値が０Ａ（または、ほぼ０Ａ）となると共に、電圧値が無負荷状態における電圧値（または、それに近い値）となり、この場合においても、上記した問題点が生じる。
【０００６】
本発明は、かかる問題点に鑑みてなされたものであり、測定対象に対する電流の供給開始時における電流の最大値や最小値、およびその際の電圧の最大値や最小値を正確に表示し得る測定装置を提供することを主目的とする。
【課題を解決するための手段】
【０００７】
上記目的を達成すべく請求項１記載の測定装置は、測定対象をクランプ可能なクランプ部を有して当該測定対象に流れる電流を測定する電流測定部と、前記測定対象の電圧を測定する電圧測定部と、前記電流および前記電圧の測定開始を指示する指示操作が可能な操作部と、前記測定開始の指示後において前記電流測定部によって測定された電流の電流値および前記電圧測定部によって測定された電圧の電圧値を表示部に表示させる表示処理を実行する処理部とを備え、前記処理部は、前記表示処理において、前記測定開始の指示後に前記電流値の絶対値が予め規定されたしきい値となったときから予め規定された規定時間が経過したときまでの処理対象期間における当該電流値の絶対値の最大値および当該電流値の絶対値の最大値の測定以後に前記処理対象期間において測定された当該電流値の絶対値の最小値の少なくとも一方と、前記処理対象期間における前記電圧値の絶対値の最小値および当該電圧値の絶対値の最小値の測定以後に前記処理対象期間において測定された当該電圧値の絶対値の最大値の少なくとも一方とを前記表示部に同時に表示させる。
【０００８】
また、請求項２記載の測定装置は、請求項１記載の測定装置において、前記操作部は、前記表示部に同時に表示させる前記各最大値および前記各最小値の組み合わせを選択する選択操作が可能に構成され、前記処理部は、前記選択操作によって選択された組み合わせで前記各最大値および前記各最小値を前記表示部に表示させる。
【０００９】
また、請求項３記載の測定装置は、請求項１または２記載の測定装置において、前記操作部は、前記しきい値を設定可能に構成されている。
【００１０】
また、請求項４記載の測定装置は、請求項１から３のいずれかに記載の測定装置において、前記操作部は、前記規定時間を設定可能に構成されている。
【発明の効果】
【００１１】
請求項１記載の測定装置では、測定開始の指示後に電流値の絶対値がしきい値となったときから規定時間が経過したときまでの処理対象期間における電流値の絶対値の最大値および最小値の少なくとも一方と、処理対象期間における電圧値の絶対値の最小値および最大値の少なくとも一方とを表示部に同時に表示させる。このため、この測定装置によれば、測定開始を指示した時点で電流値および電圧値の記録が開始されて、電流の最小値が常に０Ａ（または、ほぼ０Ａ）となったり、電圧の最大値が常に無負荷状態における測定対象の電圧値（または、それに近い値）となったりする従来の構成とは異なり、測定対象に対する電流の供給開始時（供給開始後）における電流値の最大値やその後の最小値、およびその際の電圧値の最小値やその後の最大値を正確に表示させることができる。また、記録の終了を指示するまで電流の最大値および最小値、並びに電圧の最小値および最大値の測定および記録を継続する従来の構成では、終了を指示する前に、セルモータを停止させたり、リード線による接続の解除、およびクランプ部によるクランプの解除を行ったりしたときにも、電流の最小値が０Ａ（または、ほぼ０Ａ）となったり、電圧の最大値が無負荷状態における測定対象の電圧値（または、それに近い値）となったりする。これに対して、この測定装置によれば、一般的に短い時間に設定される処理対象期間においてのみ、電流の最大値および最小値、並びに電圧の最小値および最大値を測定するため、短い時間である処理対象期間の経過後であれば、セルモータを停止させたり、リード線による接続の解除、およびクランプ部によるクランプの解除を行ったりしたとしても、これらの行為に起因してこれらの各値を正確に表示させることが困難となる事態を確実に防止することができる。
【００１２】
また、請求項２記載の測定装置によれば、表示部に同時に表示させる各最大値および各最小値の組み合わせを選択する選択操作が可能に操作部を構成したことにより、使用者の所望の組み合わせで各最大値や各最小値を表示部に表示させることができるため、利便性を十分に向上させることができる。
【００１３】
また、請求項３記載の測定装置によれば、しきい値を設定可能に操作部を構成したことにより、測定対象の種類に応じて、しきい値を任意に変更することができるため、各種の測定対象における各最大値や各最小値を正確に表示させることができる。
【００１４】
また、請求項４記載の測定装置によれば、規定時間を設定可能に操作部を構成したことにより、測定対象の種類に応じて、規定時間を任意に変更することができるため、各種の測定対象における各最大値や各最小値を正確に表示させることができる。
【図面の簡単な説明】
【００１５】
【図１】測定装置１の正面図である。
【図２】測定装置１の構成を示す構成図である。
【図３】測定装置１の使用方法を説明する第１の説明図である。
【図４】測定対象の電流値Ｉｍおよび電圧値Ｖｍの波形を示す波形図である。
【図５】表示部１４に表示された測定値画面Ｇｍの第１の表示画面図である。
【図６】表示部１４に表示された測定値画面Ｇｍの第２の表示画面図である。
【図７】表示部１４に表示された測定値画面Ｇｍの第３の表示画面図である。
【図８】表示部１４に表示された測定値画面Ｇｍの第４の表示画面図である。
【発明を実施するための形態】
【００１６】
以下、測定装置の実施の形態について、添付図面を参照して説明する。
【００１７】
最初に、測定装置１の構成について説明する。図１に示す測定装置１は、「測定装置」の一例であるクランプ式の測定装置であって、本体部２およびクランプ部３を備えて、測定対象（例えば、図３に示す電線６０）を流れる電流（直流電流）の電流値および測定対象（例えば、図３に示すバッテリ５０）における電圧の電圧値を測定して、測定値を表示可能に構成されている。
【００１８】
本体部２は、図２に示すように、Ａ／Ｄ変換回路１１ａ，１１ｂ（以下、区別しないときには「Ａ／Ｄ変換回路１１」ともいう）、操作部１２、記憶部１３、表示部１４、処理部１５、およびこれらの構成要素が収容（または配設）される本体ケース１６（図１参照）を備えて構成されている。
【００１９】
Ａ／Ｄ変換回路１１ａは、クランプ部３から出力される検出信号Ｓｉをサンプリング（アナログ−デジタル変換）して、測定対象に流れる電流（直流電流）の電流値Ｉｍを示す電流データＤｉを出力する。Ａ／Ｄ変換回路１１ｂは、プローブ４ａ，４ｂ（図１参照）を介して入力した測定対象の電圧（直流電圧信号）をサンプリングして、その電圧値Ｖｍを示す電圧データＤｖを出力する。
【００２０】
操作部１２は、図１に示すように、本体部２（本体ケース１６）の正面パネルに配設されたダイヤル２１、および複数のスイッチ（例えば、同図に示すピーク表示スイッチ２２）を備えて構成され、これらが操作されたときに操作信号を出力する。
【００２１】
記憶部１３は、処理部１５によって実行される後述するピーク値測定処理において測定される電流値Ｉｍの絶対値の最大値Ｉｍａｘおよび最小値Ｉｍｉｎ（図４参照）、並びに電圧値Ｖｍの絶対値の最大値Ｖｍａｘおよび最小値Ｖｍｉｎ（同図参照）を処理部１５の制御に従って記憶する。また、記憶部１３は、ピーク値測定処理において用いられる電流値Ｉｍのしきい値Ｉｒおよび規定時間ｔｒ（同図参照）を記憶する。この場合、記憶部１３は、測定装置１の製造時や出荷時に規定された値（デフォルト値）としてのしきい値Ｉｒ（例えば、６０Ａ）および規定時間ｔｒ（例えば、２００ｍｓ）を記憶すると共に、操作部１２の操作によって設定されたしきい値Ｉｒおよび規定時間ｔｒを処理部１５の制御に従って記憶する。
【００２２】
表示部１４は、図１に示すように、本体部２（本体ケース１６）の正面パネルに配設されている。また、表示部１４は、処理部１５の制御に従って図５〜図８に示す測定値画面Ｇｍを表示する。この場合、処理部１５によって実行される後述するピーク値測定処理において測定される電流値Ｉｍの最大値Ｉｍａｘおよび最小値Ｉｍｉｎのいずれか一方と、電圧値Ｖｍの最大値Ｖｍａｘおよび最小値Ｖｍｉｎのいずれか一方とが、操作部１２に対する操作に応じた組み合わせで、測定値画面Ｇｍ内に表示される。
【００２３】
処理部１５は、操作部１２から出力される操作信号に従って各種の処理を実行する。具体的には、処理部１５は、電流測定部および電圧測定部として機能し、Ａ／Ｄ変換回路１１ａ，１１ｂからそれぞれ出力される電流データＤｉおよび電圧データＤｖに基づいて電流値Ｉｍおよび電圧値Ｖｍを測定する測定処理を実行する。また、処理部１５は、操作部１２のピーク表示スイッチ２２が操作されたときに、電流値Ｉｍの絶対値の最大値Ｉｍａｘおよび最小値Ｉｍｉｎ、並びに電圧値Ｖｍの絶対値の最大値Ｖｍａｘおよび最小値Ｖｍｉｎを測定（測定）するピーク値測定処理を実行する。また、処理部１５は、測定した最大値Ｉｍａｘおよび最小値Ｉｍｉｎのいずれか一方と、最大値Ｖｍａｘおよび最小値Ｖｍｉｎのいずれか一方とを、操作部１２に対する操作に応じた組み合わせで表示部１４（測定値画面Ｇｍ内）に表示させる表示処理を実行する。
【００２４】
クランプ部３は、図１に示すように、基端部（本体部２側の端部）を中心として回動可能な一対のアーム部３１，３１およびレバー３２を備えて構成され、レバー３２を操作することで各アーム部３１の先端部同士が接離（開閉）するように構成されている。各アーム部３１は、図外のコアおよび図外の検出素子を備えて構成され、測定対象（図３に示す電線６０）をクランプして先端部同士が当接した（閉じた）状態において、測定対象に対して金属非接触の状態（例えば電線６０の導体で構成された芯線に対して非接触の状態）で、測定対象を流れる電流（直流電流）を検出して検出信号Ｓｉを出力する。
【００２５】
次に、測定装置１の使用方法、および使用時における測定装置１の各部の動作について、図面を参照して説明する。一例として、自動車のセルモータを起動してエンジンをスタートさせる際に、自動車のバッテリ５０からセルモータに供給される電流の電流値Ｉｍ（絶対値）の最大値Ｉｍａｘおよび最小値Ｉｍｉｎと、その際のバッテリ５０のプラス端子５１およびマイナス端子５２の間における電圧の電圧値Ｖｍ（絶対値）の最大値Ｖｍａｘおよび最小値Ｖｍｉｎとを測定する際の使用方法について説明する。
【００２６】
まず、測定装置１における操作部１２のダイヤル２１を操作して、測定モードを選択する。この際に、電源が投入されて測定装置１が起動する。
【００２７】
次いで、図３に示すように、バッテリ５０から図外のセルモータに電流を供給する測定対象としての電線６０をクランプ部３でクランプする。具体的には、レバー３２を押し込んで、アーム部３１，３１の各先端部を開き、続いて、各先端部の間に電線６０を通し、次いで、レバー３２の押し込みを解除してアーム部３１，３１の各先端部を閉じる。これにより、電線６０が各アーム部３１，３１によって取り囲まれて、電線６０がクランプされる。この際に、クランプ部３が、電線６０に流れる電流を検出して検出信号Ｓｉを出力する処理を開始し、Ａ／Ｄ変換回路１１ａが、検出信号Ｓｉをサンプリングして電流データＤｉを出力する処理を開始する。
【００２８】
続いて、図３に示すように、プローブ４ａ，４ｂを測定対象としてのバッテリ５０のプラス端子５１およびマイナス端子５２にそれぞれ接続する。この際に、Ａ／Ｄ変換回路１１ｂが、プローブ４ａ，４ｂを介して入力したバッテリ５０の電圧（電圧信号）をサンプリングして電圧値Ｖｍを示す電圧データＤｖを出力する処理を開始する。
【００２９】
次いで、操作部１２のピーク表示スイッチ２２を操作する（測定開始の指示）。この際に、操作部１２が操作信号を出力し、これに応じて、処理部１５がピーク値測定処理を実行する。このピーク値測定処理では、処理部１５は、Ａ／Ｄ変換回路１１ａから出力される電流データＤｉに基づいて電流値Ｉｍの絶対値を測定する処理を繰り返して実行すると共に、Ａ／Ｄ変換回路１１ｂから出力される電圧データＤｖに基づいて電圧値Ｖｍの絶対値を測定する処理を繰り返して実行する。また、処理部１５は、記憶部１３から予め決められたしきい値Ｉｒ（例えば、６０Ａ）および規定時間ｔｒ（例えば、２００ｍｓ）を読み出すと共に、電流値Ｉｍの絶対値がしきい値Ｉｒとなったか否かを判別する処理を繰り返して実行する。
【００３０】
一方、操作部１２のピーク表示スイッチ２２を操作した後に、セルモータを起動してエンジンをスタートさせる。この場合、図４に示すように、セルモータの起動開始前には、セルモータには電流が供給されないため、電流値Ｉｍの絶対値は、０Ａ（または、ほぼ０Ａ）となり、電圧値Ｖｍの絶対値は、無負荷状態におけるバッテリ５０の電圧値（例えば２４Ｖ）となっている。また、電流値Ｉｍの絶対値は、同図に示すように、セルモータの起動直後には、セルモータに大きな負荷が加わるため上昇し、エンジンがスタートしたときには、セルモータに加わる負荷が減少するため減少し、その後セルモータが定常状態となったときには、低い値で一定（ほぼ一定）となる。また、電圧値Ｖｍの絶対値は、同図に示すように、セルモータに加わる負荷および電流値Ｉｍの変化に連動して、一旦低下した後に、上昇し、その後無負荷状態における値よりも低い値で一定（ほぼ一定）となる。
【００３１】
上記したように、電流値Ｉｍが変化したときには、処理部１５は、電流値Ｉｍの絶対値がしきい値Ｉｒとなったときから規定時間ｔｒが経過したときまで期間（以下、「処理対象期間ｔｐ」ともいう）における電流値Ｉｍの絶対値の最大値Ｉｍａｘ、および最大値Ｉｍａｘの測定以後の処理対象期間ｔｐにおける電流値Ｉｍの絶対値の最小値Ｉｍｉｎを測定して、最大値Ｉｍａｘおよび最小値Ｉｍｉｎを記憶部１３に記憶させる。また、処理部１５は、処理対象期間ｔｐにおいて電圧値Ｖｍが一旦低下したときの電圧値Ｖｍの絶対値の最小値Ｖｍｉｎ、および最小値Ｖｍｉｎの測定以後の処理対象期間ｔｐにおける電圧値Ｖｍの絶対値の最大値Ｖｍａｘを測定して、最大値Ｖｍａｘおよび最小値Ｖｍｉｎを記憶部１３に記憶させる。
【００３２】
続いて、処理部１５は、規定時間ｔｒが経過したとき（処理対象期間ｔｐが終了したとき）に、最大値Ｉｍａｘおよび最小値Ｉｍｉｎのいずれか一方と、最大値Ｖｍａｘおよび最小値Ｖｍｉｎのいずれか一方とを表示部１４に同時（一度）に表示させる。この場合、この測定装置１では、初期状態においては、一例として、最大値Ｉｍａｘおよび最小値Ｖｍｉｎを表示させるように設定されており、処理部１５は、この初期設定に従い、図５に示すように、最大値Ｉｍａｘおよび最小値Ｖｍｉｎを含む測定値画面Ｇｍを表示部１４に表示させる。
【００３３】
また、この測定装置１では、ピーク表示スイッチ２２を操作する度に、表示部１４に表示させる（測定値画面Ｇｍ内に含ませる）最大値Ｉｍａｘおよび最小値Ｉｍｉｎのいずれか一方と、最大値Ｖｍａｘおよび最小値Ｖｍｉｎのいずれか一方との組み合わせを切り替えること（操作部１２を用いた選択操作）が可能となっている。一例として、この測定装置１では、上記した初期設定の組み合わせ（最大値Ｉｍａｘおよび最小値Ｖｍｉｎの組み合わせ：以下、「第１の組み合わせ」ともいう）での表示状態でピーク表示スイッチ２２を１回操作したときには、図６に示すように、最小値Ｉｍｉｎおよび最大値Ｖｍａｘ（以下、この組み合わせを「第２の組み合わせ」ともいう）を含む測定値画面Ｇｍを表示部１４に表示させる。
【００３４】
また、第２の組み合わせでの表示状態でピーク表示スイッチ２２を１回操作したときには、図７に示すように、最大値Ｉｍａｘおよび最大値Ｖｍａｘ（以下、この組み合わせを「第３の組み合わせ」ともいう）を含む測定値画面Ｇｍを表示部１４に表示させる。さらに、第３の組み合わせでの表示状態でピーク表示スイッチ２２を１回操作したときには、図８に示すように、最小値Ｉｍｉｎおよび最小値Ｖｍｉｎ（以下、この組み合わせを「第４の組み合わせ」ともいう）を含む測定値画面Ｇｍを表示部１４に表示させる。以下、ピーク表示スイッチ２２を１回操作する度に、第１の組み合わせ、第２の組み合わせ、第３の組み合わせ、および第４の組み合わせでの表示状態を順に切り替えることができる。
【００３５】
一方、バッテリ５０やセルモータの種類（測定対象の種類）によって、上記した電流値Ｉｍや電圧値Ｖｍの変化のしかたが異なるため、ピーク値測定処理を実行する際に、上記したしきい値Ｉｒとしての６０Ａや、規定時間ｔｒとしての２００ｍｓを変更したいときがある。このようなときには、ピーク表示スイッチ２２を操作するのに先立ち、操作部１２を操作してしきい値Ｉｒや規定時間ｔｒを任意に設定する。この際には、処理部１５は、上記した記憶部１３に予め記憶されているしきい値Ｉｒや規定時間ｔｒ（デフォルト値）に替えて、新たに設定したしきい値Ｉｒや規定時間ｔｒを用いて上記したピーク値測定処理を実行する。
【００３６】
このように、この測定装置１では、測定開始の指示後において電流値Ｉｍの絶対値がしきい値Ｉｒとなったときから規定時間ｔｒが経過したときまでの処理対象期間ｔｐにおける電流値Ｉｍの絶対値の最大値Ｉｍａｘおよび最小値Ｉｍｉｎの少なくとも一方と、処理対象期間ｔｐにおける電圧値Ｖｍの絶対値の最小値Ｖｍｉｎおよび最大値Ｖｍａｘの少なくとも一方とを表示部１４に同時に表示させる。このため、この測定装置１によれば、測定開始を指示した時点で電流値Ｉｍおよび電圧値Ｖｍの記録が開始されて、最小値Ｉｍｉｎが常に０Ａ（または、ほぼ０Ａ）となったり、最大値Ｖｍａｘが常に無負荷状態における測定対象の電圧値（または、それに近い値）となったりする従来の構成とは異なり、測定対象に対する電流の供給開始時（供給開始後）における電流値Ｉｍの最大値Ｖｍａｘやその後の最小値Ｉｍｉｎ、およびその際の電圧値Ｖｍの最小値Ｖｍｉｎやその後の最大値Ｖｍａｘを正確に表示させることができる。また、記録の終了を指示するまで最大値Ｉｍａｘ、最小値Ｉｍｉｎ、最小値Ｖｍｉｎおよび最大値Ｖｍａｘの測定および記録を継続する従来の構成では、終了を指示する前に、セルモータを停止させたり、リード線による接続の解除、およびクランプ部３によるクランプの解除を行ったりしたときにも、最小値Ｉｍｉｎが０Ａ（または、ほぼ０Ａ）となったり、最大値Ｖｍａｘが無負荷状態における測定対象の電圧値（または、それに近い値）となったりする。これに対して、この測定装置１によれば、一般的に短い時間に設定される処理対象期間ｔｐにおいてのみ、最大値Ｉｍａｘ、最小値Ｉｍｉｎ、最小値Ｖｍｉｎおよび最大値Ｖｍａｘを測定するため、短い時間である処理対象期間ｔｐの経過後であれば、セルモータを停止させたり、リード線による接続の解除、およびクランプ部３によるクランプの解除を行ったりしたとしても、これらの行為に起因してこれらの各値を正確に表示させることが困難となる事態を確実に防止することができる。
【００３７】
また、この測定装置１では、表示部１４に同時に表示させる最大値Ｉｍａｘ、最小値Ｉｍｉｎ、最大値Ｖｍａｘおよび最小値Ｖｍｉｎの組み合わせを選択する選択操作が可能に操作部１２を構成したことにより、使用者の所望の組み合わせで最大値Ｉｍａｘ、最小値Ｉｍｉｎ、最大値Ｖｍａｘおよび最小値Ｖｍｉｎを表示部１４に表示させることができるため、利便性を十分に向上させることができる。
【００３８】
また、この測定装置１によれば、しきい値Ｉｒを設定可能に操作部１２を構成したことにより、測定対象の種類に応じて、しきい値Ｉｒを任意に変更することができるため、各種の測定対象における最大値Ｖｍａｘや最小値Ｉｍｉｎ、および最大値Ｖｍａｘや最小値Ｖｍｉｎを正確に表示させることができる。
【００３９】
また、この測定装置１によれば、規定時間ｔｒを設定可能に操作部１２を構成したことにより、測定対象の種類に応じて、規定時間ｔｒを任意に変更することができるため、各種の測定対象における最大値Ｖｍａｘや最小値Ｉｍｉｎ、および最大値Ｖｍａｘや最小値Ｖｍｉｎを正確に表示させることができる。
【００４０】
なお、測定装置の構成は、上記の測定装置１の構成に限定されない。例えば、最大値Ｉｍａｘおよび最小値Ｉｍｉｎのいずれか１つと、最大値Ｖｍａｘおよび最小値Ｖｍｉｎのいずれか１つとを表示部１４に同時に表示させる例について上記したが、最大値Ｉｍａｘおよび最小値Ｉｍｉｎの双方と最大値Ｖｍａｘおよび最小値Ｖｍｉｎのいずれか１つとを表示部１４に同時に表示させる構成、最大値Ｉｍａｘおよび最小値Ｉｍｉｎのいずれか１つと最大値Ｖｍａｘおよび最小値Ｖｍｉｎの双方とを表示部１４に同時に表示させる構成、および最大値Ｉｍａｘおよび最小値Ｉｍｉｎの双方と最大値Ｖｍａｘおよび最小値Ｖｍｉｎの双方とを表示部１４に同時に表示させる構成を採用することもできる。
【符号の説明】
【００４１】
１  測定装置
３  クランプ部
１２  操作部
１４  表示部
１５  処理部
２２  ピーク表示スイッチ
５０  バッテリ
６０  電線
Ｇｍ  測定値画面
Ｉｍ  電流値
Ｉｍａｘ  最大値
Ｉｍｉｎ  最小値
Ｉｒ  しきい値
ｔｒ  規定時間
Ｖｍ  電圧値
Ｖｍａｘ  最大値
Ｖｍｉｎ  最小値
【図１】
2017049114.tif 000003
【図２】
2017049114.tif 000004
【図３】
2017049114.tif 000005
【図４】
2017049114.tif 000006
【図５】
2017049114.tif 000007
【図６】
2017049114.tif 000008
【図７】
2017049114.tif 000009
【図８】
2017049114.tif 000010